(57)【要約】      （修正有）【課題】付勢部材の設計自由度を大きくしつつ外観を良好にする。【解決手段】車両用シートでは、可動カバー部材４２の他端部を跨ぐようにゴムバンド５２が可動カバーユニット４０と固定カバーユニット３２との間に架け渡されている。これにより、ゴムバンド５２の一端部を可動カバーユニット４０の他端部に固定させる場合に比べて、ゴムバンド５２の自由長を長く設定できる。また、ゴムバンド５２の一端部を可動カバーユニット４０の他端部に固定させる必要がないため、可動カバーユニット４０の他端部にゴムバンド５２の付勢力が作用しない。すなわち、ゴムバンド５２の付勢力が、可動カバーユニット４０の延在方向両端部間に作用せずに、可動カバーユニット４０の延在方向中間部と一端部との間に作用する。これにより、ゴムバンド５２の付勢力によって可動カバーユニット４０の全体が変形することが抑制されるため、車両用シートの外観を良好にできる。【選択図】図１
2014046156.tif 000002
【特許請求の範囲】
【請求項１】
車両用シートの一部を構成する第１構成ユニットと、
前記車両用シートの他の一部を構成すると共に、一端部が前記第１構成ユニットの一端部に回動可能に連結された第２構成ユニットと、
一端部が前記第２構成ユニットの一端部に固定され、前記第２構成ユニットの回動方向一方の面側から前記第１構成ユニットの一端部及び前記第２構成ユニットの一端部を覆う可動カバーと、
前記第１構成ユニットの一端部に組付けられ、前記第１構成ユニットの一端部の一部を覆うと共に、前記可動カバーの他端部と厚み方向にオーバーラップされた固定カバーと、
前記可動カバーの他端部を跨ぐように前記固定カバーと前記可動カバーとの間に架け渡され、前記可動カバーを前記固定カバー側へ付勢する付勢部材と、
を備えた車両用シート。
【請求項２】
前記付勢部材は、長尺帯状に形成されたゴム製の弾性体で構成され、
前記可動カバーには、前記付勢部材が挿通される挿通部が形成された請求項１に記載の車両用シート。
【請求項３】
前記可動カバーは、
可撓性を有するシート状に形成された可動カバー部材と、
前記可動カバー部材の前記第１構成ユニット側の面に設けられると共に、板状に形成された可動側板状部材と、
を含んで構成され、
前記可動カバー部材には、前記挿通部の開口部を構成すると共に前記付勢部材の長手方向に並んで配置された一対のスリットが形成され、
前記可動側板状部材には、前記挿通部を前記第１構成ユニット側へ突出させる孔部が形成された請求項２に記載の車両用シート。
【請求項４】
前記付勢部材の一端部が前記可動側板状部材に固定された請求項３に記載の車両用シート。
【請求項５】
前記第１構成ユニットは、乗員が着座するシートクッションとされると共に、前記第２構成ユニットは、軸方向をシート幅方向にして下端部が前記シートクッションの後端部に連結されたシートバックとされ、
前記可動カバーが、前記シートクッションの後端部及び前記シートバックの下端部をシート後側から覆う請求項１〜請求項４の何れか１項の車両用シート。
【発明の詳細な説明】
【技術分野】
【０００１】
本発明は、車両用シートに関する。
【背景技術】
【０００２】
下記特許文献１に記載された車両用シートでは、シートバック（第２構成ユニット）の背面を覆う表皮が、シートクッション（第１構成ユニット）のシート下側まで延びている。これにより、シートクッションの後端部とシートバックの下端部とが表皮によってシート後側から覆われて、例えば、シートクッション内の構造物がシート後側から視認されることが抑制される。したがって、車両用シートの外観を良好にできる。
【０００３】
また、この表皮の下端部には、伸縮部材（付勢部材）の一端が係止されており、伸縮部材の他端がシートクッションに係止されている。これにより、例えば、シートバックがシートクッションに対して前倒し又は後倒しされる際に伸縮部材が伸縮されることで、シートバックの傾倒（回動）に追従して表皮が移動される。
【先行技術文献】
【特許文献】
【０００４】
【特許文献１】実公平２−４７９０１号公報
【発明の概要】
【発明が解決しようとする課題】
【０００５】
しかしながら、上記の車両用シートでは、上述したように、伸縮部材の一端部が表皮の下端に係止されているため、伸縮部材の長さの設定が難しいという問題がある。すなわち、伸縮部材は、シートクッションの下側に配置されており、伸縮部材の自由長（伸縮部材に引張力が作用していない時の長さ）の長さを長くすると、伸縮部材がシートクッションから突出される場合がある。一方、伸縮部材の自由長を短くすると、伸縮部材が伸びた際の伸縮部材内の内部応力が高くなるという問題がある。また、伸縮部材の自由長を短くすると、例えば、伸縮部材のバネ定数が高くなり、シートバックが前倒れされた際に表皮全体が引張られて、表皮が凹む（潰れた）ように変形する可能性がある。これにより、車両用シートの外観が悪化する。
【０００６】
本発明は、上記事実を考慮して、付勢部材の設計自由度を大きくしつつ外観を良好にできる車両用シートを提供することを目的とする。
【課題を解決するための手段】
【０００７】
請求項１に記載された車両用シートは、車両用シートの一部を構成する第１構成ユニットと、前記車両用シートの他の一部を構成すると共に、一端部が前記第１構成ユニットの一端部に回動可能に連結された第２構成ユニットと、一端部が前記第２構成ユニットの一端部に固定され、前記第２構成ユニットの回動方向一方の面側から前記第１構成ユニットの一端部及び前記第２構成ユニットの一端部を覆う可動カバーと、前記第１構成ユニットの一端部に組付けられ、前記第１構成ユニットの一端部の一部を覆うと共に、前記可動カバーの他端部と厚み方向にオーバーラップされた固定カバーと、前記可動カバーの他端部を跨ぐように前記固定カバーと前記可動カバーとの間に架け渡され、前記可動カバーを前記固定カバー側へ付勢する付勢部材と、を備えている。
【０００８】
請求項１に記載された車両用シートでは、車両用シートが、第１構成ユニットと第２構成ユニットとを含んで構成されており、第１構成ユニットの一端部に第２構成ユニットの一端部が回動可能に連結されている。
【０００９】
また、第２構成ユニットの一端部には、可動カバーの一端部が固定されており、第１構成ユニットの一端部及び第２構成ユニットの一端部が、第２構成ユニットの回動方向一方の面側から可動カバーによって覆われている。これにより、例えば、第１構成ユニットの一端部及び第２構成ユニットの一端部における構造物が第２構成ユニットの回動方向一方の面側から視認されることが抑制される。
【００１０】
さらに、第１構成ユニットの一端部には固定カバーが組付けられており、第１構成ユニットの一端部の一部が固定カバーによって覆われている。そして、固定カバーと可動カバーとの間に付勢部材が架け渡されており、可動カバーが付勢部材によって固定カバー側へ付勢されている。これにより、例えば、第１構成ユニットに対して第２構成ユニットが回動されて可動カバーが固定カバーに対して離間する方向へ移動される際には、付勢部材が伸びることで、固定カバーに対する可動カバーの移動が許容される。一方、第１構成ユニットに対して第２構成ユニットが回動されて可動カバーが固定カバーに対して接近する方向へ移動される際には、付勢部材の付勢力によって固定カバーに対して可動カバーが移動される。これにより、第２構成ユニットの回動に追従して可動カバーが移動される。
【００１１】
ここで、可動カバーの他端部が固定カバーと厚み方向にオーバーラップされており、可動カバーの他端部を跨ぐように付勢部材が配置されている。これにより、例えば、付勢部材を帯状の弾性体で構成した場合には、可動カバーの一端部と他端部との間に付勢部材の一端部を固定させると共に、付勢部材の他端部を固定カバーに固定させることができる。したがって、付勢部材の一端部を可動カバーの他端部に固定させる場合に比べて、付勢部材の自由長を長く設定できる。
【００１２】
また、付勢部材の一端部が可動カバーの他端部に固定されないため、可動カバーの他端部には付勢部材からの付勢力が作用しない。すなわち、付勢部材による付勢力が、可動カバーの両端部間に作用せずに、可動カバーの延在方向中間部と一端部との間に作用する。これにより、例えば、可動カバーの全体が付勢部材の付勢力によって変形することが抑制されるため、車両用シートの外観を良好にできる。
【００１３】
請求項２に記載の車両用シートは、請求項１に記載の車両用シートにおいて、前記付勢部材は、長尺帯状に形成されたゴム製の弾性体で構成され、前記可動カバーには、前記付勢部材が挿通される挿通部が形成されている。
【００１４】
請求項２に記載の車両用シートでは、付勢部材が、長尺帯状に形成されたゴム製の弾性体で構成されると共に、可動カバーの挿通部に挿通されている。このため、可動カバーが、挿通部の部位において付勢部材に組付けられるため、可動カバーが付勢部材から離間されることが抑制される。したがって、可動カバーが付勢部材の長手方向に沿って配置されるようになるため、車両用シートの外観を一層良好にできる。
【００１５】
請求項３に記載の車両用シートは、請求項２に記載の車両用シートにおいて、前記可動カバーは、可撓性を有するシート状に形成された可動カバー部材と、前記可動カバー部材の前記第１構成ユニット側の面に設けられると共に、板状に形成された可動側板状部材と、を含んで構成され、前記可動カバー部材には、前記挿通部の開口部を構成すると共に前記付勢部材の長手方向に並んで配置された一対のスリットが形成され、前記可動側板状部材には、前記挿通部を前記第１構成ユニット側へ突出させる孔部が形成されている。
【００１６】
請求項３に記載の車両用シートでは、可動カバーが、可撓性を有するシート状に形成された可動カバー部材と、板状に形成された可動側板状部材と、を含んで構成されており、可動カバー部材の第１構成ユニット側の面に可動側板状部材が設けられている。
【００１７】
また、可動カバー部材には、一対のスリットが形成されている。この一対のスリットは、付勢部材の長手方向に並んで配置されて、挿通部の開口部を構成している。これにより、挿通部が可動カバー部材に形成される。
【００１８】
そして、可動側板状部材に形成された孔部から挿通部が第１構成ユニット側へ突出されている。これにより、可動カバー部材が挿通部の部位で付勢部材によって可動側板状部材側へ引き込まれるようになる。このため、可動側板状部材に対する可動カバー部材の浮きや可動カバー部材の皺等が発生することが抑制された状態で、可動カバー部材が可動側板状部材の面に沿って配置される。したがって、車両用シートの外観をより一層良好にできる。
【００１９】
請求項４に記載の車両用シートは、請求項３に記載の車両用シートにおいて、前記付勢部材の一端部が前記可動側板状部材に固定されている。
【００２０】
請求項４に記載の車両用シートでは、付勢部材の一端部が可動側板状部材に固定されているため、可撓性を有する可動カバー部材に付勢部材の付勢力が直接作用しない。これにより、付勢部材の付勢力による可動カバー部材の変形が抑制される。
【００２１】
請求項５に記載の車両用シートは、請求項１〜請求項４の何れか１項の車両用シートにおいて、前記第１構成ユニットは、乗員が着座するシートクッションとされると共に、前記第２構成ユニットは、軸方向をシート幅方向にして下端部が前記シートクッションの後端部に連結されたシートバックとされ、前記可動カバーが、前記シートクッションの後端部及び前記シートバックの下端部をシート後側から覆っている。
【００２２】
請求項５に記載の車両用シートによれば、シートクッションの後端部及びシートバックの下端部が、可動カバーによってシート後側から覆われるため、車両用シートの後部における下側部分の見栄えを良好にすることができる。
【発明の効果】
【００２３】
請求項１に記載の車両用シートによれば、付勢部材の設計自由度を大きくしつつ、車両用シートの外観を良好にできる。
【００２４】
請求項２に記載の車両用シートによれば、車両用シートの外観を一層良好にできる。
【００２５】
請求項３に記載の車両用シートによれば、車両用シートの外観をより一層良好にできる。
【００２６】
請求項４に記載の車両用シートによれば、付勢部材の付勢力による可動カバー部材の変形を抑制できる。
【００２７】
請求項５に記載の車両用シートによれば、車両用シートの後部における下側部分の見栄えを良好にすることができる。
【図面の簡単な説明】
【００２８】
【図１】本発明の実施の形態に係る車両用シートに用いられるカバー機構を示す斜視図である。
【図２】本発明の実施の形態に係る車両用シート１０の要部を示すシート右方から見た断面図（図１に示される２−２線に沿った位置の断面図）である。
【図３】図１に示されるゴムバンドが可動カバー部材の挿通部内に挿通された状態を示す拡大した斜視図である。
【図４】図２に示されるシートバックが前倒位置に回動された状態を示すシート右方から見た断面図である。
【図５】図２に示されるシートバックがリクライニング位置に回動された状態を示すシート右方から見た断面図である。
【発明を実施するための形態】
【００２９】
図２には、本発明の実施の形態に係る車両用シート１０の要部がシート右方から見た断面図にて示されている。なお、図面に適宜示される矢印ＦＲはシート前方を示し、矢印ＵＰはシート上方を示し、矢印ＲＨはシート右方（シート幅方向一側）を示す。
【００３０】
この図に示されるように、車両用シート１０は、「第１構成ユニット」としてのシートクッション１２と、「第２構成ユニット」としてのシートバック２０と、シートクッション１２の後端部及びシートバック２０の下端部をシート後側から覆うカバー機構３０と、を含んで構成されている。
【００３１】
シートクッション１２は、シートクッション１２の骨格を構成するシートクッションフレームユニット１４を備えており、シートクッションフレームユニット１４が車両の車体フロア（図示省略）に連結されている。このシートクッションフレームユニット１４は、ウレタン等の発泡材によって製作されたクッションパッド１５によってシート上方から覆われており、クッションパッド１５はクッション側表皮１６によって覆われている。
【００３２】
シートバック２０は、シートクッション１２の後端部（一端部）に起立した状態で配置されている。このシートバック２０は、シートバック２０の骨格を構成するシートバックフレームユニット２２を備えており、シートバックフレームユニット２２は、ウレタン等の発泡材によって製作されたバックパッド２３によってシート前方から覆われている。そして、バックパッド２３はバック側表皮２４によって覆われている。
【００３３】
また、シートバック２０の下端部（一端部）は、従来周知のリクライニング機構（図示省略）を介して軸方向をシート幅方向にしてシートクッション１２の後端部に回動（傾倒）可能に連結されている。これにより、リクライニング機構が作動されることによって、シートバック２０が、図２に示される起立位置からシート前側の位置（図４に示される位置であり、以下この位置を「前倒位置」という）へ回動（傾倒）されると共に、起立位置からシート後側の位置（図５に示される位置であり、以下この位置を「リクライニング位置」という）に回動（傾倒）されるようになっている。
【００３４】
さらに、シートバック２０は、シートバック２０の後面（背面）を構成するバックボード２６を有している。このバックボード２６は、樹脂により製作されて、略板状に形成されると共に、起立位置において板厚方向をシート前後方向にして配置されている。
【００３５】
図１に示されるように、バックボード２６の下端部には、後述する可動カバー部材４２の一端部（上端部）を固定するための複数（本実施の形態では、５つ）の取付ボス２８が一体に形成されている。この取付ボス２８は、略円筒形状に形成されると共に、バックボード２６からシート前側へ突出されている。
【００３６】
カバー機構３０は、「固定カバー」としての固定カバーユニット３２と、「可動カバー」としての可動カバーユニット４０と、「付勢部材」としてのゴムバンド５２と、を含んで構成されている。また、固定カバーユニット３２は、固定カバー部材３４と、固定側プレート３６（広義には、「固定側板状部材」として把握される要素である）と、を含んで構成されている。
【００３７】
図１及び図２に示されるように、固定カバー部材３４は、可撓性を有する略矩形シート状に形成されている。そして、固定カバー部材３４は、幅方向をシート幅方向にして、シートクッション１２の後端部のシート後側かつシート下側の位置において、シートクッション１２の一部をシート後側から覆うように配置されている。この固定カバー部材３４の一端部（上端部）には、シートクッション１２側の面において、一対のＪフック６０（広義には、「係止部材」として把握される要素である）が縫製等によって結合（固定）されており、Ｊフック６０は、シートクッション１２の第１ワイヤ１８（図２参照）に係止されている。これにより、固定カバーユニット３２がシートクッション１２に組付けられている。
【００３８】
固定側プレート３６は、樹脂により製作されると共に、略矩形板状に形成されている。そして、固定側プレート３６が、固定カバー部材３４のシートクッション１２側で、固定カバー部材３４の一端部（上端部）を除く部分と板厚方向に重なり合うように配置されており、固定側プレート３６の外周部が固定カバー部材３４に縫製されている。これにより、固定カバー部材３４の一端部（上端部）を除く部分が、固定側プレート３６の面に沿って一体化されている。なお、固定側プレート３６における固定カバー部材３４との縫製位置は、任意に設定することができる。
【００３９】
また、固定側プレート３６は、側面視でシート後方斜め下方へ開放された略Ｖ字形状に屈曲されている。さらに、固定側プレート３６のシート上側の部分には、後述するゴムバンド５２の長手方向他端部を配置するための一対の溝部３８（図１参照）が形成されており、溝部３８はシート上側へ開放されている。
【００４０】
可動カバーユニット４０は、可動カバー部材４２と、「可動側板状部材」としての可動側プレート４８と、を含んで構成されている。
【００４１】
可動カバー部材４２は、可撓性を有する略矩形シート状に形成されている。この可動カバー部材４２の一端部（上端部）は、幅方向をシート幅方向にしてバックボード２６の下端部のシート前側に配置されると共に、バックボード２６の取付ボス２８によってバックボード２６に固定されている。そして、可動カバー部材４２は、シートバック２０の下端部及びシートクッション１２の後端部をシート後側（シートバック２０の後面側）から覆うように固定カバーユニット３２側へ延在されている。また、可動カバー部材４２の他端部（下端部）が、固定カバー部材３４の一端部（上端部）のシート下側に配置されて、固定カバー部材３４の一端部（上端部）と板厚方向（厚み方向）にオーバーラップされている。これにより、車両用シート１０における後部のシート下側部分が、可動カバー部材４２及び固定カバー部材３４にシート後側から覆われている。
【００４２】
また、可動カバー部材４２の略中央部には、４箇所のスリット４４が形成されており、各スリット４４はシート幅方向に沿って延びている。そして、可動カバー部材４２の延在方向に並んで配置された２つのスリット４４が対を成しており、この対を成すスリット４４の間の部分が挿通部４６とされて、この挿通部４６がシート幅方向に並んで配置されている。これにより、挿通部４６の開口部がスリット４４によって構成されている。
【００４３】
可動側プレート４８は、樹脂により製作されると共に、弾性を有する略矩形板状に形成されている。この可動側プレート４８は、可動カバー部材４２のシートクッション１２側で、可動カバー部材４２の一端部（上端部）を除く部分と板厚方向に重なり合うように配置されており、可動側プレート４８の外周部が可動カバー部材４２に縫製されている。これにより、可動カバー部材４２の一端部（上端部）を除く部分が、可動側プレート４８の面に沿って一体化されている。また、可動側プレート４８の他端部（下端部）が、固定カバー部材３４の一端部のシート下側に配置されて、固定カバー部材３４の一端部と板厚方向にオーバーラップされている。なお、可動側プレート４８における可動カバー部材４２との縫製位置は任意に設定することができる。
【００４４】
また、可動側プレート４８には、可動カバー部材４２の挿通部４６に対応する位置において、一対の孔部５０が形成されている。この孔部５０は、略矩形状に形成されており、孔部５０から挿通部４６が露出されている。
【００４５】
ゴムバンド５２は、略長尺帯状に形成されたゴム製の弾性体として構成されている。そして、ゴムバンド５２は、可動カバー部材４２の延在方向を長手方向として可動側プレート４８のシートクッション１２側に配置されると共に、シート幅方向に並んで配置されている。このゴムバンド５２の長手方向一端部は、可動側プレート４８の一端側に配置されると共に、可動側プレート４８と共に可動カバー部材４２に縫合されている。また、ゴムバンド５２の長手方向他端部は、固定側プレート３６の溝部３８内に配置されると共に、固定カバー部材３４に縫製されている。そして、ゴムバンド５２の長手方向他端部には、Ｊフック６２（広義には、「係止部材」として把握される要素である）が固定されており、Ｊフック６２がシートクッション１２の第２ワイヤ１９（図２参照）に係止されている。これにより、Ｊフック６２及びゴムバンド５２を介して固定カバーユニット３２がシートクッション１２に組付けられている。また、可動カバーユニット４０は、ゴムバンド５２によって固定カバーユニット３２側（図２の矢印Ｂ方向側）へ付勢されている。
【００４６】
また、図３に示されるように、ゴムバンド５２は、可動カバー部材４２の一対のスリット４４内に挿通されて挿通部４６のシートクッション１２とは反対側を通過している。これにより、可動カバー部材４２の挿通部４６が可動側プレート４８の孔部５０からシートクッション１２側へ突出されると共に、ゴムバンド５２によって可動カバーユニット４０の他端部が固定カバーユニット３２の一端部に板厚方向に重なり合うように付勢されている。換言すると、可動カバーユニット４０がゴムバンド５２に沿って配置されて、可動カバーユニット４０の他端部のシート下側への垂れ下がりが挿通部４６及びゴムバンド５２によって抑制されるようになっている。そして、可動カバーユニット４０は、側面視でシート後側へ向かうに従いシート上側へ向けて傾斜して配置されると共に、シートクッションフレームユニット１４の一部を構成する部材（図示省略）によって押圧されてシートクッション１２側へ屈曲されている。
【００４７】
ここで、シートバック２０がシートクッション１２に対して起立位置から前倒位置へ回動（傾倒）される際には、ゴムバンド５２の付勢力に抗して可動カバーユニット４０が固定カバーユニット３２から離間される方向（図２の矢印Ａ方向）へ移動されるようになっている。一方、シートバック２０が起立位置からリクライニング位置へ回動（傾倒）される際には、ゴムバンド５２の付勢力によって可動カバーユニット４０が固定カバーユニット３２に接近する方向（図２の矢印Ｂ方向）へ移動されるようになっている。これにより、シートバック２０が回動される際には、シートバック２０の回動に追従して可動カバーユニット４０が移動されるように構成されている。さらに、前倒位置とリクライニング位置との間でシートバック２０が回動される際には、可動カバーユニット４０の他端部（下端部）が固定カバーユニット３２の一端部（上端部）に常にオーバーラップされるように、可動カバーユニット４０の延在方向の長さが設定されている。
【００４８】
次に、本実施の形態における作用及び効果について説明する。
【００４９】
車両用シート１０は、カバー機構３０を有しており、シートバック２０の下端部及びシートクッション１２の後端部がカバー機構３０の可動カバー部材４２によってシート後側から覆われている。これにより、シートバック２０の下端部及びシートクッション１２の後端部がシート後側から視認されることが可動カバー部材４２によって抑制されている。
【００５０】
そして、シートバック２０がシートクッション１２に対して起立位置から前倒位置へ回動（傾倒）される際には、バックボード２６の下端部が略シート前側へ回動される。このため、可動カバーユニット４０（可動カバー部材４２）の一端部が略シート前側へ移動されることで、可動カバーユニット４０の他端部が固定カバーユニット３２から離間される方向（図２の矢印Ａ方向）へ移動される。この際には、ゴムバンド５２が長手方向に伸びることで、可動カバーユニット４０の移動が許容される（図４参照）。
【００５１】
一方、シートバック２０がシートクッション１２に対して起立位置からリクライニング位置へ回動（傾倒）される際には、バックボード２６の下端部が略シート下側へ回動される。このため、可動カバーユニット４０（可動カバー部材４２）の一端部が略シート下側へ移動されると共に、ゴムバンド５２の付勢力によって可動カバーユニット４０が固定カバーユニット３２に接近する方向（図２の矢印Ｂ方向）へ移動される。
【００５２】
そして、シートバック２０がシートクッション１２に対して回動される際では、可動カバーユニット４０の他端部が固定カバーユニット３２の一端部にオーバーラップされている。このため、車両用シート１０の後端部における下側部分が可動カバーユニット４０及び固定カバーユニット３２によってシート後側から常に覆われた状態にされている。
【００５３】
ここで、可動カバー部材４２の他端部（下端部）を跨ぐようにゴムバンド５２が可動カバーユニット４０と固定カバーユニット３２との間に架け渡されている。これにより、可動カバーユニット４０の一端部（上端部）と他端部（下端部）との間の部分にゴムバンド５２の一端部を固定させると共に、ゴムバンド５２の他端部を固定カバー部材３４に固定させることができる。したがって、ゴムバンド５２の一端部を可動カバーユニット４０の他端部に固定させる場合に比べて、ゴムバンド５２の自由長を長く設定できる。
【００５４】
また、ゴムバンド５２の一端部が可動カバーユニット４０の他端部に固定されないため、可動カバーユニット４０の他端部にゴムバンド５２の付勢力（引張力）が作用しない。すなわち、ゴムバンド５２の付勢力（引張力）が、可動カバーユニット４０の延在方向両端部間に作用せずに、可動カバーユニット４０の延在方向中間部と一端部との間に作用する。これにより、ゴムバンド５２の付勢力によって可動カバーユニット４０の全体が変形することが抑制されるため、車両用シート１０の外観を良好にできる。以上により、ゴムバンド５２の設計自由度を大きくしつつ、車両用シート１０の外観を良好にできる。
【００５５】
また、ゴムバンド５２は、可動カバー部材４２の挿通部４６に挿通されている。これにより、可動カバー部材４２が、挿通部４６の部位において、ゴムバンド５２に組付けられるため、可動カバーユニット４０がゴムバンド５２から離間されることが抑制される。すなわち、可動カバーユニット４０がゴムバンド５２に沿って配置されるようになり、可動カバーユニット４０のシート下側への垂れ下がりが抑制される。したがって、車両用シート１０の外観を一層良好にできると共に、車両用シート１０の後席に着座された乗員の足元のスペースを確保することができる。
【００５６】
さらに、可動カバー部材４２に形成された一対のスリット４４によって、挿通部４６の開口部が構成されている。このため、可動カバー部材４２に一対のスリット４４を形成することで、可動カバー部材４２に挿通部４６が形成される。これにより、可動カバー部材４２に挿通部４６を簡易な構成で形成することができる。
【００５７】
また、可動カバー部材４２におけるシートクッション１２側の面に可動側プレート４８が設けられている。そして、可動側プレート４８に形成された孔部５０から可動カバー部材４２の挿通部４６がシートクッション１２側へ突出されている。これにより、可動カバー部材４２の挿通部４６がゴムバンド５２によって可動側プレート４８側へ引き込まれるようになる。このため、可動側プレート４８に対する可動カバー部材４２の浮きや可動カバー部材４２の皺等が発生することが抑制された状態で、可動カバー部材４２が可動側プレート４８の面に沿って配置される。したがって、車両用シート１０の外観をより一層良好にできる。
【００５８】
さらに、ゴムバンド５２の一端部が可動側プレート４８に固定されている。このため、可撓性を有する可動カバー部材４２にゴムバンド５２の付勢力が直接作用しない。すなわち、ゴムバンド５２の付勢力が可動側プレート４８を介して可動カバー部材４２に作用する。これにより、例えば、ゴムバンド５２の付勢力が可動カバー部材４２に直接作用することによる可動カバー部材４２の変形が抑制されるため、車両用シート１０の外観をより一層良好にできる。
【００５９】
なお、本実施の形態では、可動側プレート４８と可動カバー部材４２とは、縫製によって一体化されているが、可動側プレート４８と可動カバー部材４２とを一体化する方法はこれに限らない。例えば、可動側プレート４８と可動カバー部材４２とを接着によって一体に形成してもよい。そして、この場合における可動側プレート４８と可動カバー部材４２との接着部位は任意に設定できる。
【００６０】
また、本実施の形態では、可動カバー部材４２の一端部（上端部）がバックボード２６に固定されている。これに替えて、可動カバー部材４２の一端部（上端部）をシートバックフレームユニット２２に固定させて、シートバック２０の背面をバック側表皮２４で覆うように構成してもよい。
【００６１】
さらに、本実施の形態では、可動カバー部材４２にスリット４４が形成されることで、挿通部４６が可動カバー部材４２に形成されている。これに替えて、例えば、可動カバー部材４２に帯状のシート材を縫製して、挿通部４６を可動カバー部材４２に形成してもよい。また、挿通部４６を可動側プレート４８に設けてもよい。
【００６２】
また、本実施の形態では、カバー機構３０がシートクッション１２とシートバック２０との合わせ部分に適用されている。これに替えて、カバー機構３０をシートクッション１２と、シートクッション１２の前端部に回動可能に設けられたオットマン装置との合わせ部分に適用してもよい。この場合には、オットマン装置が本発明の第２構成ユニットとされる。
【符号の説明】
【００６３】
１０    車両用シート
１２    シートクッション（第１構成ユニット）
２０    シートバック（第２構成ユニット）
３２    固定カバーユニット（固定カバー）
４０    可動カバーユニット（可動カバー）
４２    可動カバー部材
４４    スリット
４６    挿通部
４８    可動側プレート（可動側板状部材）
５０    孔部
５２    ゴムバンド（付勢部材）
【図１】
2014046156.tif 000003
【図２】
2014046156.tif 000004
【図３】
2014046156.tif 000005
【図４】
2014046156.tif 000006
【図５】
2014046156.tif 000007